(57)【要約】      （修正有）【課題】この考案は、従来のボールの表皮の接着に代えて、溶媒を用いない、即ち、無溶媒の手段により、接着し、環境に優しく、臭気が無く、溶媒による火災の心配も無く、溶媒の乾燥時間が節約でき、場所も節約でき、又、熟練を必要としないボールの固形状接着剤を開発・提供することにある。【解決手段】この考案は、ボールの表皮を接着するに際し、接着層を表皮側、或いはカーカス側に設け、カーカスと表皮１とを接着するものであり、又、カーカスは、チューブの上に接着層を設けるか、チューブの上に補強層を設け、該補強層の上に接着層を設け、更に、接着層２が接着フィルム、熱接着フィルム等の無溶剤の接着剤から択ばれたものを使用する。【選択図】図２
0003105223.tif 000002
【実用新案登録請求の範囲】
【請求項１】
サッカーボールやバレーボール等の、各種球技用ボールの分割形状ピース部材の、表皮材と補強層間、或いは、２重構成された補強層と補強層間を固着する接着シートにおいて、該分割形状ピース部材は六角形状、又は五角形状等の同一形状に形成した表皮材（１）とフィルム状接着シート（２）と剥離シート（３）を三枚重ねにし、且つ、無溶媒の接着手段を用いて接着可能にした事を特徴とする固形状接着剤。
【請求項２】
フィルム状接着シート（２）が、ポリアミド系、ポリオレフィン系、ポリウレタン系、Ｅ．Ｖ．Ａ系、ポリエステル系等の樹脂をベースとした無溶媒の接着剤から選ばれたものである事を特徴とする実用新案登録請求の範囲第１項記載の固形状接着剤。
【請求項３】
無溶媒の接着手段が、熱手段、加圧手段、摩擦手段である事を特徴とする実用新案登録請求の範囲第１項記載の固形状接着剤。
【考案の詳細な説明】
【技術分野】
【０００１】
この考案は、サッカーボールや、バレーボール等の、各種球技用ボールの分割形状ピース部材の、表皮材と補強層間、或いは、２重構成された補強層と補強層間等を固着する固形状接着剤に関するものである。
【背景技術】
【０００２】
従来、球技用のボールには、補強層に表皮を設ける貼りボール（ラミネートボール）、補強層へゴム層を設けるゴムボール、そして、球形に縫製した表皮内に、チューブを挿入し、表皮とバルブ部分を固定する縫いボールがある。
【０００３】
そして、これらのボール本体の内部には、バルブを有し、内部に空気を保持するチューブと呼ばれるゴム体に、空気を充填して球形にし、該チューブに補強層を被覆したカーカスと呼ばれるものが存在する。
【０００４】
そして、このカーカスに表皮を接着する方法がとられており、溶媒を用いる為、臭気や火災の危険性があり、作業環境の悪いものであり、又、乾燥時間を必要としたり、乾燥まで場所を必要としたり、粘度調整を必要とする為、熟練を必要とする等の作業上の欠点があった。
【０００５】
又、上記ボール等の球形以外の円柱状や角柱状に成形しても、スティック強度に優れ、且つ、塗りムラが無い、使い易い固形状接着剤が出願されているので、参考の為に紹介する。（特許文献１を参照。）
【特許文献１】特開平１１−１４８０５７
【考案の開示】
【考案が解決しようとする課題】
【０００６】
そこで、この考案は、従来のボールの表皮の接着に代えて、溶媒を用いない、即ち、無溶媒の手段により、接着し、環境に優しく、臭気が無く、溶媒による火災の心配も無く、溶媒の乾燥時間が節約でき、場所も節約でき、又、熟練を必要としないボールの固形状接着剤を開発・提供することにある。
【課題を解決するための手段】
【０００７】
この考案は、ボールの表皮を接着するに際し、接着層を表皮側、或いはカーカス側に設け、カーカスと表皮とを接着するものであり、又、カーカスは、チューブの上に接着層を設けるか、チューブの上に補強層を設け、該補強層の上に接着層を設け、更に、接着層が接着フィルム、熱接着フィルム等の無溶剤の接着剤から選ばれたものを使用する。
【考案の効果】
【０００８】
この考案によると、溶媒を必要としない固形状接着剤を用いる事で、カーカス、表皮に均一な接着層が得られ、又、接着層に接着フィルムを使用する場合には、カーカスと表皮を接着する事ができ、又、接着フィルムは自由な形状に型抜きする事ができ、接着剤のはみ出しがなく、溶媒を使用しない事により、環境に優しく、臭気がなく、触媒による火災の心配もなく、溶媒の乾燥時間が節約でき、場所も節約できるものである。
【０００９】
又、溶媒を必要としない接着手段の為、従来のように、溶媒と接着剤との関係に対し、経時変化による対応をする必要が無く、又、硬化変質の恐れが無く、従って、熟練を必要とせず、コストダウンも可能となり、作業性・安全性において、極めて有益なる効果を奏するものである。
【考案を実施するための最良の形態】
【００１０】
この考案を実施する為の最良の形態としては、ボールの素材である表皮・補強層、及び接着層の型取り形状が同一形状である事から、複数の素材を同時に重ねて打ち抜けば、作業工程の短縮が図れ、コスト低減が可能になり、品質も向上する。
【実施例１】
【００１１】
この考案の一実施例を図１〜図２に基づいて詳述すると、ラミネートサッカーボールやバレーボール等の、各種球技用ボールの分割形状ピース部材の、表皮材と補強層間、或いは、２重構成された補強層と補強層間を固着する接着シートにおいて、該分割形状ピース部材は六角形状、又は五角形状等の同一形状に形成した表皮材（１）とフィルム状接着シート（２）と剥離シート（３）を三枚重ねにし、且つ、無溶媒の接着手段を用いて接着可能にした事を特徴とする固形状接着剤
から構成される。
【００１２】
又、フィルム状接着シート（２）が、ポリアミド系、ポリオレフィン系、ポリウレタン系、Ｅ．Ｖ．Ａ系、ポリエステル系等の樹脂をベースとした無溶媒の接着剤から選ばれたものである事を特徴とする固形状接着剤から構成される。
【００１３】
又、無溶媒の接着手段が、熱手段、加圧手段、摩擦手段である事を特徴とする固形状接着剤から構成される。
【００１４】
図１は、ラミネートサッカーボール，バレーボール等の分割形状ピース部材の一例で、斜視図を示し、図２は、断面図である。
【００１５】
この考案の固形状接着剤（２）は、接着フィルム、熱接着フィルム等の無溶剤の接着剤から選ばれたものである。
【００１６】
又、六角形状、又は五角形状等に形成された表皮材（１）は、天然皮革、合成皮革、天然ゴム、天然ゴムスポンジ、合成ゴムスポンジ、天然布、合成布等を使用するものである。
【００１７】
又、表皮材（１）と同一形状に形成されたフィルム状接着シート（２）と剥離シート（３）を三枚重ねにし、且つ、無溶媒の接着手段である、熱手段、加圧手段、摩擦手段等を用いて接着するものである。
【００１８】
そして、更に表皮材（１）と補強層（４）を接着する際は、図３（Ａ）に示す様に、剥離シート（３）を剥がした上で、図３（Ｂ）に示す様に、表皮材（１）と補強層（４）を重ね合わせ、上記同様、無溶媒の接着手段である、熱手段、加圧手段、摩擦手段等を用いて接着するものである。
【産業上の利用可能性】
【００１９】
この考案の固形状接着剤は、ボールの分割形状ピース部材の、表皮を接着するに際し、接着層を接着フィルム、熱接着フィルム等の無溶剤の接着剤から選ばれたものを使用する事で、広範囲の市場に寄与する点で産業上の利用可能性を有する。
【図面の簡単な説明】
【００２０】
【図１】この考案の一実施例を示し、ラミネートサッカーボールの分割形状ピース部材の斜視図である。
【図２】この考案の一実施例を示し、ラミネートサッカーボールの分割形状ピース部材の断面図である。
【図３】この考案の使用例を示し、（Ａ）は剥離シート取り外し要領を示す断面図で、（Ｂ）は表皮材と補強層の接着要領を示す断面図である。
【符号の説明】
【００２１】
１  表皮材
２  フィルム状接着シート
３  剥離シート
４  補強層
４’  補強層
【図１】
0003105223.tif 000003
【図２】
0003105223.tif 000004
【図３】
0003105223.tif 000005